(57)【要約】      （修正有）【課題】持ち運びに便利で安価な仕掛け投入装置を提供する。【解決手段】ライン７２，７３に取り付けられた複数の釣り針部材７１を備えた仕掛け７０を保持すべく、取り付け位置に固定される固定板２０と、該固定板２０に回転可能に連設されて仕掛け７０を保持する投入板３０とを有し、投入板３０が仕掛け７０の投入方向に回転したときに保持している仕掛け７０を解放する仕掛け投入装置１１であって、投入板３０が板状に形成され、投入板３０の回転先端側部分３１に、仕掛け７０のライン７２，７３を挟んで留める複数の切れ目を形成した。【選択図】図７
0003174718.tif 000002
【実用新案登録請求の範囲】
【請求項１】
ラインに取り付けられた複数の釣り針部材を備えた仕掛けを保持すべく、取り付け位置に固定される固定部と、該固定部に回転可能に連設されて前記仕掛けを保持する投入部とを有し、該投入部が前記仕掛けの投入方向に回転したときに保持している前記仕掛けを解放する仕掛け投入装置であって、
前記投入部が板状に形成され、該投入部の回転先端側部分に、前記仕掛けの前記ラインを挟んで留める複数のライン留め部が形成された
仕掛け投入装置。
【請求項２】
前記ライン留め部が切れ目で構成された
請求項１に記載の仕掛け投入装置。
【請求項３】
少なくとも前記ライン留め部がゴム又は合成樹脂で形成された
請求項２に記載の仕掛け投入装置。
【請求項４】
前記投入部の前記回転先端側部分に切欠きが設けられ、
該切欠きが、弾性を有する板状の留め部材を重合することで閉塞され、
該留め部材に前記ライン留め部が形成され、
前記留め部材における前記切欠きの縁部に相当する部分に、前記留め部材の離反を許容する離反許容部を設けた
請求項３に記載の仕掛け投入装置。
【請求項５】
前記投入部に該投入部の向こう側を透視可能な透視部分を有する
請求項１から請求項４のいずれか一項に記載の仕掛け投入装置。
【請求項６】
前記固定部と前記投入部とが別体の蝶番部材で連結され、
前記固定部と前記投入部の相互間に、少なくとも該投入部を起立姿勢にしたときに対向する側に延びて前記相互間の隙間を狭める延長部分が形成された
請求項１から請求項５のいずれか一項に記載の仕掛け投入装置。
【考案の詳細な説明】
【技術分野】
【０００１】
この考案は、例えばイカ釣りなどに好適な仕掛け投入装置に関し、より詳しくは、糸絡みを回避しつつ手返しを速くできるような仕掛け投入装置に関する。
【背景技術】
【０００２】
イカ釣りなどに用いられる仕掛けには、餌木（エギ）やイカ角、スッテなどと称される疑似餌の付いた釣り針や疑似餌のない釣り針等の釣り針部材をラインに複数備えたものがある。
【０００３】
これは、ラインとしての幹糸又は道糸にラインとしての枝糸又はハリスを介して釣り針部材を取り付けたり、ラインとしての幹糸や道糸に数珠繋ぎするように直接連結したりした構成である。このため、釣り上げたときにライン同士、或いは釣り針部材とラインが絡まることが多々ある。糸絡みが起こると仕掛けの投入作業が行えない。
【０００４】
そこで、糸絡みを回避して仕掛けの手返しを速く行える仕掛け投入装置として、特許文献１に開示されたものを提案した。この仕掛け投入装置は、投入方向に回動可能な横長な板状の支持台を備え、この支持台の上に、略円筒状をなす複数の収容器を一列に配置した構成である。これらの収容器は仕掛けの釣り針部材を収容可能な大きさに形成されている。
【０００５】
使用に際しては、釣り針部材を収容器に個別に収容するので、釣り針部材同士が絡み合うのを回避できる。また、釣り針部材をイカを釣り上げながら収容器に収容することができるため、仕掛けの投入準備に手間がかからない。この結果、仕掛けの手返しを速く行うことができる。
【０００６】
また、収容器の上端部にラインを引掛けるライン止めが切欠き形成されているため、ライン止めにラインを引掛けることで、ラインが風にあおられたりしてもラインが流れたりして糸絡みの原因となることを回避できる。
【０００７】
しかし、上記仕掛け投入装置は、支持台の他にも釣り針部材を収容する複数の収容器を備える必要があるために、部品点数が多く製造コストがかかる。
【０００８】
この点、例えば特許文献２に開示された仕掛け投入装置は、一つの部材からなるので、部品点数が少なく廉価に製造することができる。
【０００９】
しかし、特許文献２の仕掛け投入装置は、上方に起立させた板壁の奥側、つまり船べりに取り付けた際に海へ向けて突出する方向に受け皿部を突設した構成である。使用に際しては、受け皿部に釣り針部材を載置する。このとき、ラインは板壁に形成された切欠き部に位置されるが、投入の作業を考慮して切欠き部にはラインを止める機能はない。
【００１０】
このため、受け皿部に載置されただけの釣り針部材は船の揺れで容易に移動しやすい。この結果、釣り針部材同士やライン同士、或いは釣り針部材とラインとが絡み合うことがあり、仕掛けの投入に支障をきたすことがあった。
【先行技術文献】
【特許文献】
【００１１】
【特許文献１】実用新案登録第３１７１９８２号公報
【特許文献２】実開平５−３９２６６号公報
【考案の概要】
【考案が解決しようとする課題】
【００１２】
そこでこの考案は、糸絡みを回避しつつ手返しを速くできる上に、廉価に製造できる仕掛け投入装置を提供することを目的とする。
【課題を解決するための手段】
【００１３】
そのための手段は、ラインに取り付けられた複数の釣り針部材を備えた仕掛けを保持すべく、取り付け位置に固定される固定部と、該固定部に回転可能に連設されて前記仕掛けを保持する投入部とを有し、該投入部が前記仕掛けの投入方向に回転したときに保持している前記仕掛けを解放する仕掛け投入装置であって、
前記投入部が板状に形成され、該投入部の回転先端側部分に、前記仕掛けの前記ラインを挟んで留める複数のライン留め部が形成された仕掛け投入装置である。
【００１４】
この仕掛け投入装置は、複数の前記ライン留め部を有しており、該ライン留め部で前記ラインにおける前記釣り針部材に対する付け根部分を留めることができる。その結果、前記釣り針部材同士や前記釣り針部材と前記ラインが干渉しないようにできるため、糸絡みを回避できる。また、前記釣り糸部材ごとに前記ラインを前記ライン留め部に留めることができるため、獲物を釣り上げながら前記釣り針部材を前記投入部に掛けることができ、前記仕掛けの投入準備に手間がかからない。さらに、前記ラインを留めるための前記ライン留め部の形成は収容器を製造するのに比べ廉価にできる。しかも、前記投入部は板状であるため、前記仕掛け投入装置の主要な部分を薄く形成でき、持ち運びに便利な形態に構成し得る。
【００１５】
前記ライン留め部が切れ目で構成されると、前記ライン留め部を前記投入部の前記回転先端側部分に厚みが薄い態様で形成できる。その結果、前記仕掛け投入装置の厚みを薄くできる。
【００１６】
少なくとも前記ライン留め部がゴム又は合成樹脂で形成されると、ゴム又は合成樹脂の弾性力により、前記ラインを適度な挟持力で挟むことが可能である。すなわち、前記投入部の起立姿勢においては、前記ライン留め部の挟持力により前記仕掛けが不測に海へ投入されることを回避できる。また、前記投入部を投入方向に回転した際は、保持されている前記ラインが前記仕掛けに備えられた錘の重力により引っ張られて前記ライン留め部から順次外れるようにすることができる。
【００１７】
また、前記投入部の前記回転先端側部分に切欠きが設けられ、該切欠きが、弾性を有する板状の留め部材を重合することで閉塞され、該留め部材に前記ライン留め部が形成され、前記留め部材における前記切欠きの縁部に相当する部分に、前記留め部材の離反を許容する離反許容部を設けた前記仕掛け投入装置であってもよい。この仕掛け投入装置は、前記切れ目の周辺が弾性を有しているため、前記ラインを前記切れ目に挟み込む際に該切れ目の周辺が変形可能である。この結果、前記ラインを前記切れ目に容易に挟むことができる。また、上述のように適度な挟持力で挟むことも可能である。
【００１８】
前記投入部が該投入部の向こう側を透視可能な透視部分を有する構成であると、前記投入部の前記透視部分から海側を透視できる。獲物を釣り上げる際には前記仕掛けの次の投入準備のために、前記投入部は起立状態にある。このような状態であっても、釣り人は、獲物が海から引き揚げられる様子を前記投入部の上から覗き込んで見る必要がなく、楽な姿勢で前記投透視部分を介して見ながら釣り上げることができ、釣りの醍醐味を味わえる。
【００１９】
前記固定部と前記投入部とが別体の蝶番部材で連結され、前記固定部と前記投入部の相互間に、少なくとも該投入部を起立姿勢にしたときに対向する側に延びて前記相互間の隙間を狭める延長部分が形成された前記仕掛け投入装置であってもよい。この仕掛け投入装置は、前記延長部分により隙間を小さく又は皆無にできるため、獲物がイカである場合、釣り上げの際に前記固定部と前記投入部の間からイカ墨が顔等にかかることを回避できる。
【考案の効果】
【００２０】
この考案により、糸絡みを回避しつつ手返しを速くできる上に、廉価に製造できる仕掛け投入装置を提供できる。
【図面の簡単な説明】
【００２１】
【図１】仕掛け投入装置の斜視図。
【図２】仕掛け投入装置の折り畳んだ状態の斜視図。
【図３】仕掛け投入装置により投入される仕掛けの斜視図。
【図４】図１におけるＡ部拡大斜視図。
【図５】隙間の生じない延長部分を示す断面図。
【図６】図４におけるＢ−Ｂ切断部拡大端面図。
【図７】仕掛け投入装置による仕掛けの投入の様子を示す斜視図。
【図８】他の例に係る仕掛け投入装置の斜視図。
【図９】他の例に係る仕掛け投入装置の正面図。
【図１０】他の例に係る仕掛け投入装置の斜視図。
【図１１】仕掛け投入装置の他の使用例を示す断面図。
【考案を実施するための形態】
【００２２】
この考案を実施するための一形態を、以下図面を用いて説明する。  
図１は、イカ釣りに好適な仕掛け投入装置１１の使用状態を示す斜視図であり、この図に示すように、仕掛け投入装置１１は、ラインに取付けられた複数の釣り針部材７１を備えた仕掛け７０を保持すべく、船べりＸ等に取り付け位置に固定される固定部としての固定板２０と、この固定板２０に回転可能に連設されて前記仕掛け７０を保持する投入部としての投入板３０を有する。投入板３０は、図２に示したように、固定板２０の上に重なった折り畳み状態から、固定板２０より離反する仕掛け７０の投入方向に回転したときに、保持している前記仕掛け７０を解放するものである。
【００２３】
まず、仕掛け７０の一例について簡単に説明する。仕掛け７０は、図３に示したように、ライン７２，７３としての幹糸７２を備え、この幹糸７２の長手方向に間隔をあけて、ライン７２，７３としての枝糸７３が設けられ、この枝糸７３に、エギ、イカ角、スッテなどと称される疑似餌付きの釣り針、すなわち釣り針部材７１が取付けられた構成である。幹糸７２の下端には、錘７４が備えられている。
【００２４】
仕掛け７０は、幹糸７２に対して釣り針部材７１を数珠繋ぎ状に取付けた構成のものなど、その他の構成であってもよい。
【００２５】
つぎに、仕掛け投入装置１１について説明する。  
前記固定板２０は、図１、図２に示したように、細長い長方形の平板状に形成されている。たてよこの寸法、つまり長手方向の長さと、長手方向と直交する方向の長さは適宜設定される。材質は、合成樹脂、木、金属など、適宜の硬質のものを使用できる。
【００２６】
前記投入板３０も、細長い、略長方形板状に形成されている。長手方向の長さは、前記固定板２０のそれと同一又は同程度に設定される。長手方向と直交する方向の長さは、仕掛け７０を保持するのに適した長さに設定するとよく、図示例の投入板３０では、固定板２０よりも若干長めに設定している。材質は、固定板２０の場合と同様、適宜設定されるが、図示例では、例えばポリカーボネートやアクリルなど、全体が透明で硬質の合成樹脂板で形成されている。このため、投入板３０の向こう側を透視可能な透視部３２が、全体的に形成されることになる。
【００２７】
この投入板３０の一つの長辺部分と前記固定板２０の一つの長辺部分は、別体の蝶番部材５０で回転可能に連設される。この連設は、前述のように重合した状態から投入方向に回転するように行う。具体的には、重合した状態から１８０度以上、より好ましくは、２７０度くらいの角度回転するように設定される。このように回転角度が設定されることにより、非使用時の携帯性を確保しつつ、投入板３０を起立させた姿勢（９０度の角度）から、投入のための回転を実行することが可能になる。
【００２８】
前記蝶番部材５０は、任意の角度で固定できるように強い力を掛けたときに回転できるように構成される。このほか、投入板３０の重合状態と起立状態において位置決めできるように節度をもたせてもよく、ばねなどの付勢手段で所望状態に維持し易くしてもよい。
【００２９】
前述のように前記蝶番部材５０を用いて固定板２０と投入板３０を接続した場合には、通常、これらの間に隙間ができるが、この隙間は、小さくするか、皆無にすることが好ましい。
【００３０】
このため、図４に示したように、前記固定板２０と前記投入板３０の相互間に、少なくとも投入板３０を起立姿勢にしたときに対向する側に延びて相互間の隙間を狭める延長部分３６が、前記蝶番部材５０と干渉しない部位に形成されている。図示例において、前記蝶番部材５０は、長手方向に２箇所備えられ、前記蝶番部材５０の枢着軸部５１は前記固定板２０の上面より上に位置するので、前記投入板３０における前記蝶番部材５０を挟む３箇所に、前記延長部分３６が形成されることになる。換言すれば、投入板３０における３つの延長部分３６の間の２箇所に、前記蝶番部材５０を収容する収容部３７が切欠形成される。なお、前記蝶番部材５０の枢着軸部５１は前記固定板２０の長手方向に直交する方向に上面から全体が突き出ている。
【００３１】
前記延長部分３６は、図４に示したように、若干の隙間を有するものでもよい。この場合の隙間の大きさは、釣り上げたイカが吐く墨の通過を阻止できる大きさに設定される。例えば図５の断面図に示したように、前記蝶番部材５０の配置と投入板３０の延長部分３６の形状を改良することで、前記投入板３０における前記蝶番部材５０を挟む３箇所は、起立姿勢において対向する固定板２０に接して、隙間がまったくないようにすることもできる。
【００３２】
また、前記投入板３０における前記前記蝶番部材５０を固定した枢着縁部と反対側の部分、すなわち、回転先端側部分３１には、前記仕掛け７０のライン７２，７３を挟んで留める複数のライン留め部が、長手方向に沿って適宜間隔を隔てて形成されている。
【００３３】
このライン留め部は、投入板３０に向けて移動させたライン７２，７３を押し込むとライン７２，７３を挟持する切れ目４１で構成される。前述のように投入板３０は硬質であるので、ライン７２，７３の挟持作業を容易にするとともに、仕掛け７０の解放を容易にするため、前記切れ目４１は、可撓性を有し、変形させると元の形態に弾性復帰するゴムで構成されている。
【００３４】
好ましくは、前記ゴム板部材４０をウレタンゴムで構成するとよい。ウレタンゴムは、低温下においても収縮し難いため、冬場でも前記切れ目４１が広がり難く、適度な挟持力を維持できる。
【００３５】
すなわち、前記投入板３０における回転先端側部分３１の前記ライン留め部形成位置に、切欠き３３，３４が形成され、この切欠き３３，３４に、前記切れ目４１を有する留め部材としてのゴム板部材４０が固定される。
【００３６】
前記切欠き３３，３４は、Ｖ字状の切欠き導入部３３と、この切欠き導入部３３の下端から投入板３０の内部に向けて適宜の幅で直線状に切り込む切欠き深部３４を有する。切欠き深部３４の大きさは、投入板３０の枢着縁部と回転側先端との間の長さにもよるが、ライン７２，７３を挟み易く、かつ挟持状態を保ち易いように適宜設定される。
【００３７】
前記ゴム板部材４０は、図６に示したように、投入板３０における固定板２０に重合する側の面、すなわち使用時に投入板３０を起立姿勢にしたときに船側を向く面に固定される。固定は、ゴム板部材４０で切欠き３３，３４の切欠き深部３４に相当する部分を閉塞するように行う。
【００３８】
ゴム板部材４０は方形状に形成され、前記切欠き深部３４の幅方向の中心位置に、前記切れ目４１を有する。このゴム板部材４０における前記切欠き深部３４の縁部３５に相当する部分は、ゴム板部材４０の離反を許容する離反許容部４２が形成されている。離反許容部４２は、ゴム板部材４０と投入板３０とを重合させるが接合しないことによって形成される。
【００３９】
すなわち、ゴム板部材４０を両面粘着テープ６０で固定する場合には、両面粘着テープ６０を前記切欠き深部３４の縁にまで位置させずに、縁から適宜幅ａ後退した位置にとどめる。粘着剤を用いて固定する場合も、ネジ等を用いて固定する場合も同様である。
【００４０】
このように離反許容部４２を設けることで、図６に仮想線で示したように、ゴムの材質による弾性変形がし易くなる。離反許容部４２の幅ａは、ゴム板部材４０の性状や厚さ、所望する挟持力、解放能力に応じて適宜設定される。
【００４１】
前記ゴム板部材４０に代えて、軟質の合成樹脂からなる軟質樹脂板部材（図示せず）を用いてもよく、いずれの場合でも、これらの部材を透明の材料で構成すれば、前記投入板３０の全体が、前記透視部３２となる。不透明の材料で構成したときには、ゴム板部材４０や軟質樹脂板部材を除く部分が、前記透視部３２となる。
【００４２】
透視部３２について付言すれば、透視部３２は、部分的に形成されてもよい。
【００４３】
以上のように構成され仕掛け投入装置１１では、以下に述べる作用効果を奏する。
【００４４】
仕掛け投入装置１１は、固定板２０と投入板３０とが連設されている側を海側にして、固定板２０を万力等の固定具８０により船べりＸ等に固定して使用される。仕掛け７０の投入準備は、投入板３０を起立姿勢まで回転させて、釣り針部材７１を投入板３０に対して海側にして、枝糸７３における釣り針部材７１に対する根元部分をゴム板部材４０の切れ目４１に挟んで行なう。
【００４５】
また、仕掛け７０の投入は、図７に示すように、投入板３０を海側に回転させることで行なう。投入板３０が垂下姿勢となると、仕掛け７０の錘７４の重みにより切れ目４１に挟まれていた枝糸７３が引っ張られ、順次切れ目４１から外れて仕掛け７０が海に投下される。なお、持ち運びの際には、投入板３０を固定板２０に向かって回転させて折り畳んだ状態で持ち運ぶ。
【００４６】
この仕掛け投入装置１１は、複数のライン留め部、すなわち前記切れ目４１を有しており、該切れ目４１で前記枝糸７３における前記釣り針部材７１に対する付け根部分を留めることができる。また、切れ目４１が適宜の間隔で設けられているため、投入板３０の手前側でもライン７２，７３は絡まない。その結果、前記釣り針部材７１同士や前記釣り針部材７１と前記枝糸７３が干渉しないようにできるため、糸絡みを回避できる。
【００４７】
また、前記釣り糸部材７１ごとに前記枝糸７３を前記切れ目４１に留めることができるため、獲物を釣り上げながら前記釣り針部材７１を前記投入板３０に掛けることができ、前記仕掛け７０の投入準備に手間がかからない。その結果、手返しを速くできる。
【００４８】
さらに、前記枝糸７３を留めるための前記切れ目４１の形成は収容器を製造するのに比べ廉価にできる。しかも、前記投入板３０は板状であるため、前記仕掛け投入装置１１の主要な部分は薄く形成されており、持ち運びに便利である。
【００４９】
前記切れ目４１は、前記投入板３０の前記回転先端側部分３１に厚みが薄い態様で形成できる。その結果、前記仕掛け投入装置１１の厚みを薄くできる。
【００５０】
前記切れ目４１がゴム又は合成樹脂で形成されているので、ゴム又は合成樹脂の弾性力により、前記枝糸７３を適度な挟持力で挟むことが可能である。すなわち、前記投入板３０の起立姿勢においては、前記切れ目４１の挟持力により前記仕掛け７０が不測に海へ投入されることを回避できる。また、前記投入板３０を投入方向に回転した際は、保持されている前記枝糸７３が前記仕掛け７０に備えられた錘７４の重力により引っ張られて前記切れ目４１から順次外れるようにすることができる。
【００５１】
前記切れ目４１を構成するゴム板部材４０が弾性を有しており、切れ目４１の周辺が拘束されていないので、前記枝糸７３を前記切れ目４１に挟み込む際に該切れ目４１が適当に変形可能する。この結果、前記枝糸７３を前記切れ目４１に容易に挟むことができる。また、上述のように適度な挟持力で挟むことができる。
【００５２】
前記投入板３０が該投入板３０の向こう側を透視可能な透視部３２を有する構成であると、前記投入板３０の前記透視部３２から海側を透視できる。獲物を釣り上げる際には前記仕掛け７０の次の投入準備のために、前記投入板３０は起立状態にある。このような状態であっても、釣り人は、獲物が海から引き揚げられる様子を前記投入板３０の上から覗き込んで見る必要がなく、楽な姿勢で前記投透視部３２を介して見ながら釣り上げることができ、釣りの醍醐味を味わえる。
【００５３】
この仕掛け投入装置１１は、起立姿勢において前記延長部分３６により隙間を小さく又は皆無にできるため、獲物がイカである場合、釣り上げの際に前記固定板２０と前記投入板３０の間からイカ墨が顔等にかかることを回避できる。
【００５４】
ゴム板部材４０が投入板３０の面に貼り付けられているため、ゴム板部材４０が固定板２０と投入板３０との間の緩衝材としても機能する。また、固定板２０と投入板３０との間に隙間が生じ、乾燥しやすく水切り性も良い。
【００５５】
以下、その他の例について説明する。この説明において、前述の構成と同一又は同等の部位については同一の符号を付してその詳しい説明を省略する。  
図８は、前記ゴム板部材４０を複数備えるのではなく、投入板３０の長手方向の長さと同一の長さをなす１枚のゴム板部材４９を備えた仕掛け投入装置１１を示している。
【００５６】
このように構成した場合には、投入板３０を固定板２０に対して重ねるように折り畳んだときに、投入板３０と固定板２０との間にゴム板部材４０が全体的に存在することになり、圧縮されたときの投入板３０の変形を抑制したりすることができる。
【００５７】
図９は、ライン留め部の他の例を示す正面図である。すなわち、ライン留め部は、投入板３０に形成された切欠き３３，３４を閉塞するように固定されるゴムや合成樹脂からなる板状の部材で形成されるのではなく、ゴムや合成樹脂で形成され切欠き３８の端面に固定される弾性部材４４で構成することができる。
【００５８】
図９（ａ）は、弾性部材４４が直線状をなすものの例であり、Ｖ字状に形成された切欠き３８に嵌め込んで変形させ、切欠き３８の内端面に弾性部材４４を接着等により固定して、ライン留め部が形成されている。弾性部材４４が変形して二つ折りになることによって、切れ目４５が得られる。
【００５９】
図９（ｂ）は、弾性部材４４が、切欠き３８に嵌まるように予めＶ字状に形成され、中間に切れ目４５を有したものを用いた例である。
【００６０】
これらのように、投入板３０の切欠き３８の内端面に弾性部材４３が設けられることによってライン留め部が形成された場合には、投入板３０からの突出厚みを薄くでき、折り畳み時の形態をさらに薄くできる。
【００６１】
図１０は、前記ゴム板部材４０を着脱可能にした例を示している。すなわち、投入板３０におけるライン留め部に相当する部位には、方形板状をなすゴム板部材４０を回転先端側の端面から抜き差しして着脱可能に保持する保持部が形成される。保持部６１は別部材で構成され、ゴム板部材４０の両側縁部の差込を受け入れる規制部６２を有し、規制部６２の下端には、ゴム板部材４０の下端縁部を受ける受け部６３を有する。
【００６２】
ライン留め部がこのように構成された場合には、ゴム板部材４０の劣化や損傷、ゴミの侵入に、即座に対応できる利点を有する。
【００６３】
なお、前述のように、前記蝶番部材５０の枢着軸部５１は前記固定板２０の上面より上に位置し、前記固定板２０の長手方向に直交する方向に上面から全体が突き出ている。
【００６４】
このため、仕掛け投入装置１は、前記投入板３０を前記固定板２０に対して上にして重合した状態から２７０度以上回転可能であるし、前記投入板３０を前記固定板２０に対して下にして重合した状態からも２７０度以上回転可能である。また、前記固定板２０は平板状であり、上面、下面の何れを上にしても船べりＸに固定できる。
【００６５】
この結果、仕掛け投入装置１は、前述のように、前記投入板３０を前記固定板２０の上に重合可能な姿勢での使用の他、図１１に示したように、前記投入板３０を前記固定板２０の下に重合可能な姿勢での使用もできる。この使用状態では、前記投入板３０の起立状態において前記ゴム板部材４０が前記投入板３０の海側となる。
【００６６】
つまり、前記ゴム板部材４０の前記切れ目４１の周辺は、図６に示すように、前記投入板３０の側に向かって変形するよりも、これとは反対側に向かって変形する方が障害となるものがないため変形しやすく、挟持されているライン７２，７３が解放されやすい。
【００６７】
したがって、潮の流れ等に応じて、軽い錘７４を用いる場合は前記ゴム板部材４０が前記投入板３０の海側に位置する姿勢で使用し、重い錘７４を用いる場合は前記ゴム板部材４０が前記投入板３０の船側に位置する姿勢で使用するなど、適宜使い分けが可能である。
【００６８】
この考案の構成と、上述の実施形態との対応において、
固定部は、固定板２０に対応し、
投入部は、投入板３０に対応し、
透視部分は、透視部３２に対応し、
切欠きは、切欠き深部３４に対応し、
留め部材は、ゴム板部材４０，４９及び弾性部材４４に対応し、
ライン留め部は、切れ目４１，４５に対応し、
取付け位置は、船べりＸに対応するも
この考案は、上述の実施形態の構成のみに限定されるものではなく、多くの実施の形態を得ることができる。
【００６９】
例えば、固定板２０と投入板３０を一つの部材で一体的に形成するものであってもよい。この場合、容易に固定板２０と投入板３０との間に隙間がない構成とすることができ、墨をかけられることを回避できる。
【００７０】
また、固定板２０及び投入板３０が長手方向に伸縮する伸縮機構、又は長手方向に折り畳む折り畳み機構を備えたものであってもよい。この様な機構を備えることで、仕掛け投入装置１１をより小さくでき、持ち運びがさらに便利になる。
【符号の説明】
【００７１】
１１…仕掛け投入装置
２０…固定板
３０…投入板
３１…回転先端側部分
３２…透視部
３４…切欠き深部
４０…ゴム板部材
４１…切れ目
４２…離反許容部
４４…弾性部材
４５…切れ目
５０…蝶番部材
７０…仕掛け
７１…釣り針部材
７２，７３…ライン
７２…幹糸
７３…枝糸
Ｘ…船べり
【図１】
0003174718.tif 000003
【図２】
0003174718.tif 000004
【図３】
0003174718.tif 000005
【図４】
0003174718.tif 000006
【図５】
0003174718.tif 000007
【図６】
0003174718.tif 000008
【図７】
0003174718.tif 000009
【図８】
0003174718.tif 000010
【図９】
0003174718.tif 000011
【図１０】
0003174718.tif 000012
【図１１】
0003174718.tif 000013